(57)【要約】      （修正有）【課題】異常動作が発生した場合に印刷に係る工程全般を全て停止させることなく稼働させるようにして印刷機としての稼働効率の低下を防止できる構成を備えた孔版印刷機。【解決手段】画像情報に基づき製版部で製版処理を行い、製版されたマスタを用いて給紙部から給送されてくる用紙に対して印刷を行う孔版印刷機において、製版部、給紙部および排紙部において異常動作を検知する手段が入力部に接続された制御部は、前記各部のいずれかにおいて異常動作を検知した場合に異常状態を表示するとともに、該表示に基づきユーザが異常動作状態にある処理部を指定して動作の停止指令を行うのに基づき該停止指令が出された処理部のみを停止させてその処理部以外の処理部を動作させる際には、該停止指令が出された処理部への給電を停止する一方、それ以外の処理部に対する給電を継続させて処理を継続させる。【選択図】図９
2009160790.tif 000002
【特許請求の範囲】
【請求項１】
原稿読み取り部において読み取られた画像情報あるいは入力された画像情報に基づき製版部で製版処理を行い、製版されたマスタを用いて給紙部から給送されてくる用紙に対して印刷を行い、印刷後のマスタを排出する排版部をはじめとする処理部を備えた孔版印刷機において、
前記製版部、給紙部および排版部において異常動作を検知する手段が入力部に接続され、出力部には前記各部への電源供給部および印刷処理指令をはじめとする各種設定が可能であるとともに異常状態を表示可能な操作部が接続されている制御部を備え、
前記制御部は、前記各部のいずれかにおいて異常動作を検知した場合に異常状態を表示するとともに、該表示に基づきユーザが異常動作状態にある処理部を指定して動作の停止指令を行うのに基づき該停止指令が出された処理部のみを停止させてその処理部以外の処理部を動作させる際には、該停止指令が出された処理部への給電を停止する一方、それ以外の処理部に対する給電を継続させて処理を継続させることを特徴とする孔版印刷機。
【請求項２】
前記制御部は、前記原稿読み取り部、製版部、給紙部、排版部および印刷後の用紙を排出する排紙部を対象として前記停止指令が出された場合に、対象となる処理部への給電を停止し、該当処理部とは別に前記各部以外の処理部で異常動作が検知された場合には、異常状態を表示すとともに該当処理部への給電を停止して該当処理部の動作を停止させることを特徴とする請求項１に記載の孔版印刷機。
【請求項３】
前記制御部は、前記各処理部のうちで、前記原稿読み取り部、製版部、排版部での異常動作が検知された場合、ユーザに対して異常状態の表示を行うとともにユーザが異常動作を検知された処理部を対象としてその動作を禁止させてその他の処理部での動作を許可するのに応じて異常動作が検知された処理部のみを対象として給電を停止したうえで、他の処理部の動作を許可することを特徴とする請求項１に記載の孔版印刷機。
【請求項４】
前記制御部は、前記排版部の異常動作が検知された場合、該排版部への給電を停止する一方、版胴にマスタが捲装されていない場合に限り製版動作を許可することを特徴とする請求項１または３に記載の孔版印刷機。
【請求項５】
前記制御部は、製版のための原稿作成部がネットワークを介して接臆されている場合、前記原稿読み取り部において異常動作が検知されると、前記ネットワークを介して原稿情報がデータ転送されるのに応じて製版部での製版を実行させることを特徴とする請求項１または３に記載の孔版印刷機。
【請求項６】
前記制御部は、製版部の異常動作が検知された場合、ユーザにより、異常動作を検知した製版部に関連する動作を禁止させて限定した動作のみを許可する選択が行われた場合に、該異常動作が検知された製版部に加えて、原稿読み取り部、製版のためのマスタを給送する給版部、排版部への給電を停止して製版に係る処理部全てを停止させることを特徴とする請求項１または３に記載の孔版印刷機。
【請求項７】
前記制御部は、前記給紙部および印刷後の用紙を排出する排紙部のうちの少なくとも一つが異常動作を検知された場合、ユーザにより、異常動作を検知した給紙部および排紙部に関連する動作を禁止させて限定した動作のみを許可する選択が行われた場合に、該異常動作が検知された給紙部および排紙部への給電を停止し、用紙搬送に係る処理部以外に相当する製版部のみを動作させることを特徴とする請求項１または２に記載の孔版印刷機。
【請求項８】
前記制御部は、異常動作を検知された処理部に関する情報およびユーザの選択により給電停止を行った処理部に関する情報を記憶しておき、メイン電源がオフされた場合でも情報の保存を行い、再度メイン電源がオンされた場合に、保存されている情報に対応した処理部への給電停止を維持し、かつ、該処理部での異常動作検知を省略することを特徴とする請求項１乃至７のいずれかに記載の孔版印刷機。
【発明の詳細な説明】
【技術分野】
【０００１】
本発明は、孔版印刷機に関し、さらに詳しくは、孔版印刷機内の製版部および印刷部での動作中断制御に関する。
【背景技術】
【０００２】
孔版印刷機は、原稿読み取り装置などにより印刷原稿を読み取って得た画像情報あるいはコンピュータなどで編集した原稿情報に基づき、サーマルヘッドを用いて孔版原紙、いわゆる、マスタに製版（穿孔）する製版部と、版胴に捲装された製版済みのマスタにおける画像部を通して版胴内からのインクを供給し、用紙にインクを転写させることで印刷を行う印刷部を備えている。
【０００３】
版胴周辺には、製版済みのマスタがその先端を挟持されて捲装される給版部と、印刷終了時にマスタを排出する排版部、そして用紙を給送する給紙部さらには印刷後の用紙を排出する排紙部がそれぞれ設けられている。
【０００４】
上述した各部は、それぞれ動作に必要な駆動源を備えており、これら駆動源を含め各部の動作状況は制御部により監視されている。
従来、複数種類の作動部を対象として異常動作が発生した場合には全ての装置を停止する方式やあるいは各部のうちで異常動作が発生している部分以外での動作を停止する一方、動作異常が発生している部分では自動化されている部分の動作を手動により切り換えて動作させるようにしたり、あるいは異常動作の原因が取り除かれて初めて他の部分の動作も可能にする方式が提案されている（例えば、特許文献１）。
【０００５】
【特許文献１】特開平８−３１７１１１号公報
【発明の開示】
【発明が解決しようとする課題】
【０００６】
上記特許文献１においては、孔版印刷機ではないものの、複写機能やファクシミリ機構およびプリンタ機能を複合させた複合機において用いられる原稿走査部や画像形成部および給紙・排紙部を対象として、複合機能の一つが選択されているときにその機能を発揮する部分で異常動作が発生した場合に、他の機能の受付を行えなくするとともに、選択された機能に用いられる装置に異常が発生していることを警告するようになっている。
【０００７】
しかし、孔版印刷機を使用する方式としては、１台の孔版印刷機のみを用いるのではなく、複数台の使用により、製版工程、印刷工程の種類に応じた使い分けを行うことがあるため、一つの孔版印刷機に異常動作が発生したとして他の孔版印刷機の稼働も停止するようにしたのでは印刷機の使用効率が低下する虞がある。
【０００８】
複数の孔版印刷機を使い分ける場合としては、製版を高解像度の印刷機で行い、印刷は２色印刷が可能な印刷機を用いる場合、あるいは高速印刷が可能な印刷機を複数台用いる場合などがある。
【０００９】
孔版印刷機での異常動作の原因としては、駆動源に用いられるモータの動作不良、センサーの故障や感度低下あるいは可動部がロックしたりして所定の動作ができない状態が挙げられる。
【００１０】
そこで、本発明の目的は、上記従来の孔版印刷機、特に動作異常が発生した場合の問題に鑑み、印刷に係る工程全般を全て停止させることなく稼働させるようにして印刷機としての稼働効率が低下するのを防止できる構成を備えた孔版印刷機を提供することにある。
【課題を解決するための手段】
【００１１】
この目的を達成するため、本発明は次の構成よりなる。  
（１）原稿読み取り部において読み取られた画像情報あるいは入力された画像情報に基づき製版部で製版処理を行い、製版されたマスタを用いて給紙部から給送されてくる用紙に対して印刷を行い、印刷後のマスタを排出する排版部をはじめとする処理部を備えた孔版印刷機において、
前記製版部、給紙部および排版部において異常動作を検知する手段が入力部に接続され、出力部には前記各部への電源供給部および印刷処理指令をはじめとする各種設定が可能であるとともに異常状態を表示可能な操作部が接続されている制御部を備え、
前記制御部は、前記各部のいずれかにおいて異常動作を検知した場合に異常状態を表示するとともに、該表示に基づきユーザが異常動作状態にある処理部を指定して動作の停止指令を行うのに基づき該停止指令が出された処理部のみを停止させてその処理部以外の処理部を動作させる際には、該停止指令が出された処理部への給電を停止する一方、それ以外の処理部に対する給電を継続させて処理を継続させることを特徴とする孔版印刷機。
【００１２】
（２）前記制御部は、前記原稿読み取り部、製版部、給紙部、排版部および印刷後の用紙を排出する排紙部を対象として前記停止指令が出された場合に、対象となる処理部への給電を停止し、該当処理部とは別に前記各部以外の処理部で異常動作が検知された場合には、異常状態を表示すとともに該当処理部への給電を停止して該当処理部の動作を停止させることを特徴とする（１）に記載の孔版印刷機。
【００１３】
（３）前記制御部は、前記各処理部のうちで、前記原稿読み取り部、製版部、排版部での異常動作が検知された場合、ユーザに対して異常状態の表示を行うとともにユーザが異常動作を検知された処理部を対象としてその動作を禁止させてその他の処理部での動作を許可するのに応じて異常動作が検知された処理部のみを対象として給電を停止したうえで、他の処理部の動作を許可することを特徴とする（１）に記載の孔版印刷機。
【００１４】
（４）前記制御部は、前記排版部の異常動作が検知された場合、該排版部への給電を停止する一方、版胴にマスタが捲装されていない場合に限り製版動作を許可することを特徴とする（１）または（３）に記載の孔版印刷機。
【００１５】
（５）前記制御部は、製版のための原稿作成部がネットワークを介して接臆されている場合、前記原稿読み取り部において異常動作が検知されると、前記ネットワークを介して原稿情報がデータ転送されるのに応じて製版部での製版を実行させることを特徴とする（１）または（３）に記載の孔版印刷機。
【００１６】
（６）前記制御部は、製版部の異常動作が検知された場合、ユーザにより、異常動作を検知した製版部に関連する動作を禁止させて限定した動作のみを許可する選択が行われた場合に、該異常動作が検知された製版部に加えて、原稿読み取り部、製版のためのマスタを給送する給版部、排版部への給電を停止して製版に係る処理部全てを停止させることを特徴とする（１）または（３）に記載の孔版印刷機。
【００１７】
（７）前記制御部は、前記給紙部および印刷後の用紙を排出する排紙部のうちの少なくとも一つが異常動作を検知された場合、ユーザにより、異常動作を検知した給紙部および排紙部に関連する動作を禁止させて限定した動作のみを許可する選択が行われた場合に、該異常動作が検知された給紙部および排紙部への給電を停止し、用紙搬送に係る処理部以外に相当する製版部のみを動作させることを特徴とする（１）または（２）に記載の孔版印刷機。
【００１８】
（８）前記制御部は、異常動作を検知された処理部に関する情報およびユーザの選択により給電停止を行った処理部に関する情報を記憶しておき、メイン電源がオフされた場合でも情報の保存を行い、再度メイン電源がオンされた場合に、保存されている情報に対応した処理部への給電停止を維持し、かつ、該処理部での異常動作検知を省略することを特徴とする（１）乃至（７）のいずれかに記載の孔版印刷機。
【発明の効果】
【００１９】
本発明によれば、孔版印刷機内に装備されている製版、排版、給紙、排紙に係る部材の一つに異常動作が発生した場合には、異常動作が発生している部分を除く他の部分の稼働できる状態とすることで、異常動作が発生している箇所以外での工程を利用することができる。これにより、異常動作が発生した場合に孔版印刷機全体を停止してしまうことがないので、印刷効率の低下を抑制することができる。
【発明を実施するための最良の形態】
【００２０】
以下図面により本発明を実施するための最良の形態について説明する。
図１は、本発明による孔版印刷機の概略構成を示す図である。
【００２１】
［孔版印刷機の基本構造］
穿孔画像が形成されたマスタ２を使用して印刷を行なう孔版印刷機１の基本的な構造は周知であるので、基本構造については簡単に説明する。図１において、孔版印刷機１は、概略構造として、光学読取部３、製版部４、印刷部５、排版部６、給紙部７、及び排紙部８から構成されている。
【００２２】
光学読取部３は、図示しない原稿の画像を光学的に読み取るデジタルスキャナとしての構造を有する。製版部４は、光学読取部３で読み取った原稿画像の情報を穿孔画像としてマスタ２に形成する機能を有し、穿孔画像が形成されたマスタ２を印刷部５に送り出す構造となっている。ここで、マスタ２は製版部４内にロール状に巻回保持されていて、製版部４内にて所定の経路に引き出されて加熱穿孔される。穿孔画像形成後のマスタ２は所定の長さに切断され、印刷部５に送り出される。
【００２３】
印刷部５は、版胴９とこの版胴９に対して圧接・離反可能に設けられた押圧部材としてのプレスローラ１０とを主要な構成要素として有する。この版胴９は、０．２５〜１．０ｍｍ程度の間隔で直径０．１５〜０．５ｍｍ程度の孔が外周面に形成されたもので、支軸を中心として回転駆動される。版胴９は、製版部４から送り出されたマスタ２を挾持して巻回保持し得るように形成されている。印刷部５は、版胴９の内部に図示しないインキ供給部を備える。
【００２４】
印刷部５において、版胴９とプレスローラ１０とのニップ部で印刷が行なわれるので、このニップ部（転写位置）に対応する版胴９の内部にインキ供給部によって適量のインキを供給し、プレスローラ１０で版胴９に圧力を加えて変形させることにより、版胴９の内周面から外周面にインキを漏れ出させる構造である。
【００２５】
版胴９からインキが漏れ出ると、版胴９に巻かれたマスタ２に形成された穿孔をインキが通り抜けることを利用し、版胴９とプレスローラ１０との間に用紙１１を通過させてこの用紙１１に画像を形成する。使用後に不要となったマスタ２は排版部６で版胴９から剥ぎ取られて収納される。
【００２６】
給紙部７は、給紙台１２に積層状態で載置された用紙１１を分離して版胴９とプレスローラ１０とのニップ部（転写位置）に向けて送り出す。版胴９とプレスローラ１０との間に導かれた用紙１１は、バキューム装置４３などを用いて吸引搬送が可能なベルトコンベア１３により排紙部８の排紙台１４に向けて搬送される。給紙部７と排紙部８は上記ニップ部（転写位置）を介して通紙経路１５により結ばれている。これらの給紙部７及び排紙部８については、後に詳述する。
【００２７】
［制御系］
上記した孔版印刷機１各部の動作は制御系によって制御される。
制御系は、後で図３により詳述するが、ＣＰＵ及びメモリからなるマイクロコンピュータによる制御部１００を主要な構成要素として備えている。
制御部１００には、メインスイッチ（図示省略）、図２に示す操作パネル１８、図１に示した光学読取部３、製版部４、印刷部５、排版部６、給紙部７、及び排紙部８がそれぞれ接続されて構成されている。
【００２８】
図３において制御部１００は、インターフェースを介して入力側に上述したメインスイッチ１０１、給版センサーＬ１、排版センサーＬ２、原稿読み取りセンサーＬ３，給紙センサーＬ４、排紙センサーＬ５が接続され、出力側には、上述した操作パネル１８，給版、排版、原稿読み取り装置３、給紙装置、排紙装置の各駆動源にそれぞれ接続された給電制御手段１０２が接続されている。制御部１００の動作に関しては後で詳述することを前置きしておく。
【００２９】
このような孔版印刷機１は、光学読取部３で読み取った原稿画像に基づき製版部４でマスタ２を製版する製版動作と、製版後のマスタ２を利用して用紙１１に原稿画像を転写し印刷する印刷動作とを基本的な動作とする。これらの各動作は、操作パネル１８中の製版スタートキーＫ１の押下によって連続的に実行される。
【００３０】
［製版動作］
製版スタートキーＫ１が押下されると、版胴９に巻き付いている使用済みのマスタ２が排版部６に廃棄される。実質的な製版動作としては、マスタ２が加熱穿孔され、光学読取部３で読み取った原稿画像に基づく穿孔画像がマスタ２に形成される。加熱穿孔後のマスタ２は、所定の長さに切断されて印刷部５に送られる。
【００３１】
［印刷動作］
印刷部５では、製版部４から搬送された穿孔画像形成済みのマスタ２を版胴９が挾持し、この状態で版胴９が回転することによりマスタ２が版胴９に巻き付けられる。版胴９の回転に同期して給紙部７から用紙１１が版胴９に向けて搬送される。プレスローラ１０は版胴９に巻き付けられたマスタ２に用紙１１を介して押圧されつつ、版胴９の回転に追従して回転する。
【００３２】
これにより、インキ供給部によってインキが供給されている版胴９の内部から外部にインキが漏れ出し、漏れ出したインキがマスタ２に形成された穿孔を通過して用紙１１に転移される。こうして、マスタ２に形成された穿孔画像が用紙に転写されて印刷が行なわれる。
【００３３】
［給排紙機構］
給紙部７について説明する。  
図１において、給紙台１２にはセットされる用紙１１の整列を維持する給紙サイドフェンス１９が設けられている。この給紙サイドフェンス１９は相対向する一対の板状部材からなるよく知られた機構からなり、後述する排紙サイドフェンスもこれに準じた構造をしている。
【００３４】
図１において、給紙サイドフェンス１９は、紙幅方向にスライド自在に取り付けられている。給紙台１２には、給紙サイドフェンス１９のスライド方向（図１の紙面を貫く方向）に、本例では４つの用紙サイズ検知センサー２０ａ〜２０ｄが位置を異にして列設されている。
【００３５】
給紙台１２には、矢印ｄで示す用紙搬送方向の上流側に給紙方向の用紙サイズ検知および用紙有無検知センサーの他に、あるいはこれらを兼用させて用紙の排出状態を検知する図示しないセンサーが設けられており、このセンサーは制御部１００（図３参照）に対して排出異常である場合に検知信号を出力する。
【００３６】
排紙部８は、印刷済みの用紙１１を積載可能な排紙台１４と排紙台１４上で用紙の側端縁を揃えるために用紙１１の幅方向に摺動可能なサイドフェンス２３とが設けられており、給紙部７から給紙経路１５を辿り印刷部５を経た用紙１１が排出積載されるようになっている。
【００３７】
図３に示した制御部１００では、各部に設けられているセンサーからの信号に基づき各部での異常動作の判定を行い、各部のいずれかにおいて異常動作を検知した場合に異常状態を操作パネル１８において表示するとともに、異常動作が発生している部分を有する印刷機での他の部分などの限定動作を行わせるための制御を行う部分として設けられており、異常動作が検知された部分に対しては、給電を遮断する機能を有している。
【００３８】
制御部１００において各部に対する給電態位を設定するための異常動作検知は次の原理に基づく。
図４は、排版部６（図１参照）でのセンサーによる異常動作の検知を行う構成を説明するための図であり、同図において、排版部６には、版胴９の近傍に設けてある排版ボックス６Ａ内に排版ローラ６Ｂ，６Ｃが配置されて版胴９からのマスタ２を受け渡されるようになっている。
【００３９】
排版ローラ６Ｂ，６Ｃは、回転した際に、版胴９に捲装されていたマスタ２を挟持して排版ボックス６Ａ内に引き込むことで回収するようになっている。
【００４０】
排版ボックス６Ａには、図５に示すように、排版ローラ６ｂ，６Ｃの回転によって回収されるマスタ２の移動を検知することができる排版センサーＬ１が配置されている。排版センサーＬ１は、排版ローラ６Ｂ，６Ｃの回転開始時からマスタ２の先端が移動してくる時間を検知する。
【００４１】
つまり、図６において、排版ローラ６Ｂ，６Ｃに対して駆動開始信号が出力されて排版ローラ６Ｂ，６Ｃが回転を開始してからマスタ２が排版センサーＬ１によって所定時間内に検知された場合にはマスタの排版が正常に行われたことになり（図６（Ａ）で示す状態）、これに対し、図６（Ｂ）に示すように、所定時間を経過してもマスタ２の検知が行われない場合には排版部での異常動作が発生したことになる。
【００４２】
排版部での異常動作の原因としては、モータの動作不良やセンサーの感知不良あるいは位置ずれなどがある。
排版部以外の部分においても検知の基準としてマスタ２の移動時間や用紙の移動時間が対象とされている。
【００４３】
制御部１００では、各センサーＬ１〜Ｌ５からの検知信号に基づき、出力側に接続されている給電制御手段１０１の動作態位を設定するようになっている。
給電制御手段１０１は、図７および図８に示すように、制御部１００からの信号によりオン・オフが可能なスイッチ（図７および図８において符号ＳＷで示す）として機能する構成であり、制御部１００からのオン・オフ信号を信号レベルの違い（Ｈｉｇｈ，Ｌｏｗ）により出力されることで給電態位、つまり給電する状態と給電を遮断する態位とを設定される。なお図７および図８において符号Ｖ，Ｖ１は、供給電源を示している。
【００４４】
制御部１００では、各部のセンサーからの信号に基づき、上述したように、異常動作が発生していている部分と異常動作が発生していない部分との駆動源に対する給電態位を設定するが、その内容は次の通りである。
【００４５】
（１）制御部１００では、異常動作が検知された部分の情報を、図３に示すメモリ１０２により保存しておき、孔版印刷機が電源をオフされた後も保存するようになっており、孔版印刷機が再起動された場合には、その情報を読み出すことで該当する部分を対象とした給電を停止するとともに、異常動作検知を省略するようになっている。
【００４６】
（２）原稿読み取り部、製版部、給紙部、排版部および印刷後の用紙を排出する排紙部等の処理部を対象として異常動作が発生している部分に対する停止指令が出された場合に、対象となる処理部への給電を停止し、異常動作が発生した処理部とは別の処理部において異常動作が検知された場合には、異常状態を表示するとともに該当処理部への給電を停止（遮断）して該当処理部の動作を停止させる。
【００４７】
（３）各処理部のうちで、原稿読み取り部、製版部、排版部での異常動作が検知された場合、ユーザに対して異常状態の表示を行うとともにユーザが異常動作を検知された処理部を対象としてその動作を禁止させてその他の処理部での動作を許可するのに応じて異常動作が検知された処理部のみを対象として給電を停止したうえで、他の処理部の動作を許可（給電態位を設定する）する。
【００４８】
（４）排版部の異常動作が検知された場合、排版部への給電を停止する一方、版胴にマスタが捲装されていない場合に限り製版動作を許可する。
【００４９】
（５）製版のための原稿作成部がネットワークを介して接臆されている場合、原稿読み取り部において異常動作が検知されると、ネットワークを介して原稿情報がデータ転送されるのに応じて製版部での製版を実行させる。
【００５０】
（６）製版部の異常動作が検知された場合、ユーザにより、異常動作を検知した製版部に関連する動作を禁止させて限定した動作のみを許可する選択が行われた場合に、該異常動作が検知された製版部に加えて、原稿読み取り部、製版のためのマスタを給送する給版部、排版部への給電を停止して製版に係る処理部全てを停止させる。
【００５１】
（７）給紙部および印刷後の用紙を排出する排紙部のうちの少なくとも一つが異常動作を検知された場合、ユーザにより、異常動作を検知した給紙部および排紙部に関連する動作を禁止させて限定した動作のみを許可する選択が行われた場合に、該異常動作が検知された給紙部および排紙部への給電を停止し、用紙搬送に係る処理部以外に相当する製版部のみを動作させる。
【００５２】
以下、各処理に関する手順について図９乃至図１３に基づき説明すると次の通りである。
図９は、（１）、（２）および（６）に対応する手順を示すフローチャートであり、この内容は請求項１，２，８記載の発明の内容に相当している。
【００５３】
図９において孔版印刷機の電源がオンされると（Ｓ０）、制御部１００では初期化処理が行われ（Ｓ１）、各部からの異常動作検知信号の有無が判別される（Ｓ２）。ステップＳ２において異常動作検知信号がない場合には、通常の印刷処理が実行される（Ｓ３）。
【００５４】
ステップＳ３において異常動作検知信号が入力された場合には、異常動作が検知された部分の表示を行い、その異常動作が検知された部分が使用対象となる部分かどうかを判別する（Ｓ４）。つまり、印刷機内での製版部、給排紙部を含む印刷部のいずれの処理部が動作使用対象であるかどうかを判別する。
【００５５】
ステップＳ４において動作対象部分が異常動作対象部分である場合には、操作パネル１８においてその部分の移動停止を行ってこれ以外の動作を行わせる限定動作を行うかどうかをユーザに問い合わせる内容を操作パネル１８において表示し、ユーザからの指令内容を判別する（Ｓ５）。
【００５６】
ステップＳ５において、ユーザが異常状態にある処理部を停止してその他の処理部を動作させるように限定動作を指定した場合には、該当する処理部、つまり、製版部あるいは給排紙部を含む印刷部に装備されている給版部、排版部、原稿読み取り部、給紙部、排紙部のうちの異常動作が検知された部分への給電が遮断され（Ｓ６）、該当する部分の情報がメモリ１０２に保存される（Ｓ７）。
【００５７】
これにより、異常動作が検知された部分を除く製版部あるいは印刷部での動作が実行される（Ｓ８）。なお、ステップＳ４において使用対象となる製版部あるいは印刷部での異常動作が検知されない場合でこれらの部分以外に異常動作検知がある場合には、該当部分全てを対象として給電を停止し（Ｓ９）、またステップＳ５において限定動作が選択されない場合には印刷機を停止する（Ｓ１０）。
【００５８】
一方、限定動作あるいは機械停止が行われた後に印刷機が電源をオフされた後、再起動された場合には（Ｓ１１）、メモリ１０２に保存した内容を確認し（Ｓ１２）、該当する異常動作検知対象の部分への給電停止を継続し、さらに、その部分での異常動作検知処理は省略されて限定した動作のみが実行される（Ｓ１２〜１３）。
【００５９】
このような処理手順により、異常動作検知が行われた部分への給電停止に加えて、これ以外の部分の限定動作が行えることになり、印刷機自体を停止する場合と違って印刷機の稼働効率を低下させないようにできる。またさらに、異常動作が検知された部分に関する情報が保存されるようになっているので、再起動時においても異常動作が検知された部分の給電停止が継続でき、しかもその部分を対象とする異常動作検知が省略できることでプログラム実行時間を短縮することができる。
【００６０】
次に、図９において説明した異常動作が検知された部分以外を用いて動作を継続させる場合を説明する。なお、図１０以降の図において、図９に示した内容と同じ処理は同符号により示す。
図１０は、排版部での異常動作を検知した場合を説明するためのフローチャートであり、同図において排版部（図１０では批判ユニットと表示してある）での異常動作が検知されたかどうかが判別され（Ｓ２０）、検知されない場合には通常の印刷動作が実行される（Ｓ２１）。
【００６１】
ステップＳ２０において異常動作が検知された場合には、操作パネル１８において異常動作が検知された旨の表示を行い（Ｓ２２）、操作パネル１８において図９で説明したように、限定動作を行うかどうかをユーザに問い合わせる（Ｓ５）。
この判別結果が得られた後、異常動作が検知された部分の情報を保存するまでの処理は図９と同じである。
【００６２】
一方、保存処理が終了すると、限定動作が指定（図９では選択と表現している）されているので、排版部に関係するマスタの捲装状態が判別される（Ｓ２３）。この処理は、異常動作が検知された排版部での給電を停止するとともに、異常動作が検知されていない部分での動作を許可するかどうかを判別するための処理であり、この処理内容は、請求項３および４記載の発明の内容に相当している。
つまり、マスタが捲装されている場合には限定動作が製版と印刷とのいずれであるかを問い合わせ（Ｓ２４）、製版である場合にはマスタが捲装されたままであることを操作パネル１８において警告表示し（Ｓ２５），マスタが手動により取り除かれるのを前提として、排版動作無しによる製版工程が実行される（Ｓ２６）。また、ステップＳ２４において印刷が選択されている場合には、現段階で捲装されているマスタによる印刷動作が実行される（Ｓ３０）。
【００６３】
ステップＳ２３において、マスタが未だ捲装されたままである場合には、製版であるかどうかを問い合わせた結果により、製版の場合には、新たなマスタの捲装により製版を実行し、印刷の場合にはマスタが捲装されていないことにより印刷不能であることを操作パネル１８において警告表示する（Ｓ２７〜２９）。
【００６４】
このような処理により、排版部での異常動作が検知された場合でも製版部での製版工程が可能となるので、新たに孔版印刷機を立ち上げることなく、始動後においてそのまま異常動作が検知された工程とは別の工程をそのまま実行でき、機械の稼働効率を下げないようにできる。
【００６５】
図１１は、原稿読み取り装置側での異常動作が検知された場合を示しており、この処理は、請求項５記載の発明の内容に相当している。
図１１において、原稿読み取り装置での異常動作が検知されたかどうかが判別され（Ｓ３１）、異常動作が検知されない場合には通常の印刷処理が実行される（Ｓ２１）。
ステップＳ３１において異常動作が検知された場合には、操作パネル１８において警告表示するとともに、限定動作を行うかどうかがを問い合わせる（Ｓ２２，Ｓ５）。
【００６６】
異常動作検知対象への給電の停止（遮断）および異常動作対象の内容の保存が行われると（Ｓ６，Ｓ７）、原稿読み取り工程以外の限定動作を行う際の判別であるマスタが捲装されているかどうかの判別が行われ（Ｓ２３）、その判別結果に応じて印刷動作が実行される（Ｓ３０）。ステップＳ２３において、マスタが捲装されていないと判断された場合には、他の印刷機を用いた製版を促す警告表示を操作パネル１８において実行する（Ｓ３２）。
【００６７】
一方、ステップＳ２４において、製版工程が限定動作として選択されている場合には、製版工程に必要な原稿読み取り情報が得られないので、例えば、ネットワークを介したデータ転送を行うことを促す警告表示が実行され（Ｓ３２）、ネットワークを介してデータ転送が行われると製版部でのサーマルヘッドに対する印字処理が行われて製版動作が実行される（Ｓ３３，Ｓ３４）。
【００６８】
このような処理により、製版工程を実行する対象となる印刷機において原稿読み取りが行えない場合でも、他の印刷機との間に設けられているネットワークを介してデータの送受信を行うことにより原稿読み取りが行えない印刷機での製版工程を実行することができる。これにより、原稿読み取りが行えない状態にある印刷機での稼働効率を下げないようにすることができる。
【００６９】
図１２は、製版部での異常動作が検知された場合を示しており、この内容は、請求項６記載の発明の内容に相当している。
図１２において、製版部のうちで給版部での異常動作が検知されると（Ｓ４０）、異常動作を検知した部分の警告表示が行われるとともに限定動作を行うかを問い合わせる（Ｓ２２，Ｓ５）。
限定動作が選択された場合には、製版部、排版部および製版のためのデータを入手する原稿読み取り部への給電を停止し（Ｓ４１）、この内容情報をメモリ１０２により保存する（Ｓ４２）。
次いで、マスタの捲装状態を判別し（Ｓ２３）、捲装されている場合には、そのマスタを用いた印刷動作が実行され（Ｓ３０）、捲装されていない場合には、図１０，１１に示したと同じように、他の機械での製版処理を実行することを促す警告表示を行う（Ｓ３５）。
【００７０】
このような処理により、製版部での異常動作が検知された場合に製版部以外の工程を実行することが可能となるので、異常動作が検知された部分を含む印刷機での稼働効率を低下させないようにできる。
【００７１】
図１３は、用紙の搬送系において異常動作が検知された場合を示しており、この内容は請求項７記載の発明の内容に相当している。
図１３において、給紙あるいは排紙部での異常動作が検知されると（Ｓ５０）、操作パネル１８において警告表示が行われるとともに、限定動作を選択するかどうかを問い合わせる（Ｓ２２，Ｓ５）。
限定動作が指定された場合には、給紙、排紙の各部に対する給電停止が行われ（Ｓ５１）、これ以外の胴サブである製版部での製版処理が実行される（Ｓ５３）。
【００７２】
このような処理により、給紙および排紙のいずれかの部分において異常動作が検知された場合には、印刷処理に関連する給排紙部以外の製版部での処理が可能であるので、異常動作を来している部分を含む印刷機を完全停止しなくても印刷に関連する工程を実行することが可能となり、印刷機の稼働効率を低下させないようにできる。
【図面の簡単な説明】
【００７３】
【図１】本発明の孔版印刷均衡生を説明するための模式図である。
【図２】図１に示す孔版印刷機に用いられる操作パネルを示す図である。
【図３】本発明の孔版印刷機に用いられる制御部の構成を説明するためのブロック図である。
【図４】図３に示した制御部に用いら得るセンサーの一形態を説明するための図である。
【図５】図４に示したセンサーの検知状態を説明するための図である。
【図６】図４に示したセンサーにより得られる検知信号の状態を説明するためのタイミングチャートである。
【図７】図３に示した制御部での制御形態の一例を説明するための模式的な回路図である。
【図８】図３に示した制御部での制御形態の他の例を説明するための模式的な回路図である。
【図９】本発明の孔版印刷機において実行される制御手順の一例を説明するためのフローチャートである。
【図１０】本発明の孔版印刷機において実行される制御手順の別例を説明するためのフローチャートである。
【図１１】本発明の孔版印刷機において実行される制御手順の他の例を説明するためのフローチャートである。
【図１２】本発明の孔版印刷機において実行される制御手順のさらに別の例を説明するためのフローチャートである。
【図１３】本発明の孔版印刷機において実行される制御手順のさらに他の例を説明するためのフローチャートである。
【符号の説明】
【００７４】
１  孔版印刷機
２  マスタ
３  読み取り部
４  製版部
５  印刷部に相当する転写部
６  排版部
７  給紙部
８  排紙部
９  版胴
１００  制御部
１０１  給電制御手段
１０２  メモリ
【図１】
2009160790.tif 000003
【図２】
2009160790.tif 000004
【図３】
2009160790.tif 000005
【図４】
2009160790.tif 000006
【図５】
2009160790.tif 000007
【図６】
2009160790.tif 000008
【図７】
2009160790.tif 000009
【図８】
2009160790.tif 000010
【図９】
2009160790.tif 000011
【図１０】
2009160790.tif 000012
【図１１】
2009160790.tif 000013
【図１２】
2009160790.tif 000014
【図１３】
2009160790.tif 000015